(57)【要約】【課題】海洋・海岸部等に構築された鋼構造物の電気防食で用いられている従来の流電陽極が、台形断面の柱状型であることから発生する種々の問題（取り付け形態、消耗状態、潮流の影響で加わる応力、漂流物の衝突による衝撃等）を解決する。【解決手段】第１に、流電陽極１０は、陽極材１１を円形の底面を有する半球状とし、陽極材１１の底面に鋼板１２を固定したことを特徴とする。第２に、流電陽極１０は、鋼板１２における、陽極材１１とは反対側に、絶縁性のクッション材１４を貼り合わせたことを特徴とする。第３に、流電陽極１０は、鋼板１２に磁気吸着装置１５を設けたことを特徴とする。【選択図】図２
2015157981.tif 000002
【特許請求の範囲】
【請求項１】
陽極材を円形の底面を有する半球状とし、前記陽極材の前記底面に鋼板を固定したことを特徴とする流電陽極。
【請求項２】
前記鋼板における、前記陽極材とは反対側に、絶縁性のクッション材を貼り合わせたことを特徴とする請求項１に記載の流電陽極。
【請求項３】
前記鋼板に磁気吸着装置を設けたことを特徴とする請求項１又は２に記載の流電陽極。
【請求項４】
前記陽極材の半球状の側面を突出させ、底面側を被防食材に密着させて取り付け可能であることを特徴とする請求項１〜３のいずれか１項に記載の流電陽極。
【発明の詳細な説明】
【技術分野】
【０００１】
本発明は、海洋・海岸部等に構築された鋼構造物の海水による腐食を防止する目的で適用されている、流電陽極に関する。
【背景技術】
【０００２】
現在、海洋・海岸部に構築された鋼構造物（以下、被防食体という。）の電気防食には、ほぼ１００％、アルミニウム（Ａｌ）又はその合金製の陽極を用いた流電陽極方式が採用されている。被防食体に流電陽極を設置すると、流電陽極から発生した防食電流が海水を通じて被防食体に流れ、被防食体の電位が防食電位よりも卑に維持される。
【０００３】
従来の流電陽極は、欧米の船舶バラストタンク防食用の陽極形状を踏襲して、台形断面の柱状型の陽極の両端部から取り付け（溶接）用の芯金（ＳＳ４００等）が突出した構造である。例えば図１に、従来の流電陽極１００の一例を示す。符号１０１はＡｌの陽極材、符号１０２はＳＳ４００の芯金、符号１０３は芯金の取り付け（溶接）部である。取り付けは、水中で直接アークを飛ばして行う溶接（以下、水中溶接という。）で行われている（例えば、特許文献１参照）。
【０００４】
従来の流電陽極は、ほぼ１００％、Ａｌの鋳造により製造されている。金型からの抜き取りを容易にするため、抜き勾配を設ける必要があるので、Ａｌ陽極の形状は必然的に台形断面（Ａ＜Ｂ）の柱状型（Ｈ，Ａ，Ｂ＜Ｌ）にならざるを得ない。
【先行技術文献】
【特許文献】
【０００５】
【特許文献１】特開２００１−１４００８７号公報
【発明の概要】
【発明が解決しようとする課題】
【０００６】
従来の流電陽極は、台形断面の柱状型で、縦（Ｈ）・横（Ａ，Ｂ）・長さ（Ｌ）の寸法が異なるため、防食電流の供給に伴う溶解・消耗が不均一である。図３に、設置時の（ａ）及び（ｂ）から中間時の（ｃ）及び（ｄ）を経て、最終時の（ｅ）及び（ｆ）に至る形状変化を例示する。通電に伴う陽極の消耗は各方向でバラバラであり、溶解・消耗に伴い陽極形状は所謂ナマコ型（ソーセージ型）にならざるを得ない。
【０００７】
従来の流電陽極は、被防食体から１０〜２０ｃｍ突出して取り付けられる。流電陽極を被防食体から離隔して取り付けるのは、通電時の防食電流の分布を考慮したものであるが、この程度の離隔距離は、通電直後から進行する陽・陰極分極によって電位差（起電力）が低減するため、電流分布を改善する効果はほとんどない。それにもかかわらず、潮流や漂流物の衝突によって取り付け部（水中溶接部）に加わる力は、片持ち梁と同様の原理のため、突出長さ分増幅される。
【０００８】
防食電流の分布で考慮すべきポイントは、被防食体からの離隔距離よりも、通電に伴う陽・陰極分極による起電力の低減と、陽極寸法（表面積）低減による陽極の接水抵抗の増加である。陽極の表面積が低減すれば、防食電流が陽極から海水に流れる経路の断面積が低減するので、陽極の接水抵抗（陽極と海水の境界部における電気抵抗）が増加する。
【０００９】
従来の流電陽極の消耗は通電に伴って電流が出やすい角部から進行し、陽極の断面形状は徐々に円型に近い状態に近づく。しかし、設置時の陽極形状が柱状型であるために、消耗状態は両端部と中間部では異なり、表面と裏面（被防食体側）でも異なるので、陽極全体の消耗は不均一になり、所謂ナマコ型になるのが避けられない。長期間にわたる電気防食において陽極の形状が変化すると、消耗が進んだ状態でも必要な防食電流を得るための設計が難しくなる。
【００１０】
従来の流電陽極は、鋳造時に内部に芯金を鋳込むため、鋳型の両端部は、芯金の両端部を収容できるように駒の形状が複雑になる。また、芯金はＡｌ陽極材と同時に鋳込む必要があるため、芯金の余熱処理を始めとして多くの手数が掛かり、鋳造作業を煩雑にしている。このため、流電陽極の製造価格が高価になる。
【００１１】
従来の流電陽極は、被防食体に水中溶接で取り付けることを前提として造られている。芯金両端の取り付け部を、取り付け部ごとに左右それぞれ１５ｃｍ（合計では６０ｃｍ）溶接することになっている。しかし、３０〜１００ｋｇ前後の陽極を保持するには、溶接部の強度からみても過大な溶接長である。また、水中溶接は、被防食体の強度にも影響し、特に、高張力鋼である鋼矢板や中炭素鋼である鋼管杭に強度低下を誘発している。
【００１２】
本発明は、上記事情に鑑みてなされたものであり、表面が均一に消耗して陽極設計が容易になり、製造作業を大幅に簡素化することが可能な流電陽極を提供することを課題とする。
【課題を解決するための手段】
【００１３】
本発明は、海洋・海岸部等に構築された鋼構造物の電気防食で用いられている従来の流電陽極が、台形断面の柱状型であることから発生する種々の問題（取り付け形態、消耗状態、潮流の影響で加わる応力、漂流物の衝突による衝撃等）を根本的に解決するものである。
【００１４】
第１の発明に係る流電陽極は、陽極材を円形の底面を有する半球状とし、前記陽極材の前記底面に鋼板を固定したことを特徴とする。
【００１５】
第２の発明に係る流電陽極は、第１の発明において、前記鋼板における、前記陽極材とは反対側に、絶縁性のクッション材を貼り合わせたことを特徴とする。
【００１６】
第３の発明に係る流電陽極は、第１又は第２の発明において、前記鋼板に磁気吸着装置を設けたことを特徴とする。
【００１７】
第４の発明に係る流電陽極は、第１〜第３のいずれかの発明において、前記陽極材の半球状の側面を突出させ、底面側を被防食材に密着させて取り付け可能であることを特徴とする。
【発明の効果】
【００１８】
第１の発明によれば、陽極材を縦・横・高さの比率が均等な半球型とし、底面を鋼板で覆うことにより、陽極材は底面を除き中心部から外表面までの距離が同一になり、通電に伴う消耗が全周囲にわたり均一になる。半球型構造を採用することにより、容積が最大（有効電気量が多い）で面積が最小（発生電流の調整が容易）の陽極製作が可能になり、被防食体の機能に合致した理想的な陽極設計が可能になる。
【００１９】
陽極材の内部に芯金を鋳込むことを廃止して、陽極材の底面に支持鋼板を取り付けることにより、陽極材の鋳造に必要な金型の構造を簡素化すると共に、鋳造作業が容易になる。従来型の流電陽極において芯金と陽極材の熱収縮率の相違により鋳造時に生じる変形（反り等）の発生を防止できる。
【００２０】
第２の発明によれば、鋼板の表面に絶縁性のクッション材を貼り付けることにより、被防食体の凹凸や曲率を効果的に吸収して空隙をなくすことができる。被防食体に密着して設置する構造とすることにより、従来型の流電陽極が包含していた、潮力や漂流物の衝突時に芯金溶接部に加わる応力等の影響を最小限にすることができる。
【００２１】
第３の発明によれば、従来の水中溶接に代えて磁気吸着工法を採用することにより、被防食体に流電陽極を取り付ける作業に要する時間を低減して、工期を大幅に短縮することができる。水中溶接のように電力を水中に持ち込む必要がないので、安全性が大幅に向上する。潜水士の溶接技能の格差による取り付け品質のバラツキを防止できる。水中溶接で問題となっていた、溶接時の急冷に伴う鋼構造物の強度低下を誘発する危険性が皆無になる。
【００２２】
第４の発明によれば、潮流により側面部に加わる応力や、流木等の漂流物が衝突したときの衝撃を、半球状の表面の曲率により効果的に分散させ、低減させることができる。
【図面の簡単な説明】
【００２３】
【図１】従来の流電陽極の一例を示す（ａ）平面図、（ｂ）正面図、（ｃ）端面図である。
【図２】本発明の流電陽極の実施例を示す（ａ）平面図、（ｂ）側面図である。
【図３】従来の流電陽極の消耗に伴う形状変化を例示する図であり、設置時の（ａ）端面図と（ｂ）正面図、中間時の（ｃ）端面図と（ｄ）正面図、最終時の（ｅ）端面図と（ｆ）正面図である。
【図４】実施例に係る流電陽極の消耗に伴う形状変化を例示する図であり、（ａ）設置時、（ｂ）中間時、（ｃ）最終時の側面図である。
【図５】実施例に係る流電陽極を（ａ）凹凸のある被防食体、（ｂ）曲率のある被防食体に設置した状況を示す側面図である。
【図６】実施例に係る流電陽極に潮力が作用する状況を示す（ａ）平面図、（ｂ）側面図である。
【図７】実施例に係る流電陽極に漂流物が作用する状況を示す（ａ）平面図、（ｂ）側面図である。
【図８】実施例に係る流電陽極を磁気吸着装置により被防食体に設置した状況を示す（ａ）平面図、（ｂ）側面図である。
【発明を実施するための形態】
【００２４】
以下、好適な実施形態に基づき、図面を参照して本発明を説明する。
図２に、本発明の流電陽極の一例を示す。流電陽極１０は、円形の底面を有する半球状の陽極材１１を有する。陽極材１１の材料は、従来の流電陽極と同様に、アルミニウム、亜鉛、マグネシウム又はこれらの１種以上を含む合金等である。
【００２５】
半球型の流電陽極（図２参照）と従来型（台形断面柱状）の流電陽極（図１参照）とは、流電陽極の性能に相違点は少ないが、機能面では大きな格差がある。すなわち、従来型の流電陽極は、製造面での利便性を追求して形状が決定されていたが、半球型の流電陽極は、流電陽極としての機能面から追及した形状を採用している。
【００２６】
水中で防食電流を供給する流電陽極に望まれる機能は、均一で安定した消耗機能と、設置時の自己形状保持機能である。流電陽極に均一で安定した消耗機能を付与するためには、通電に伴う消耗が全面で均一になる形状を採用する必要がある。ところが、従来の流電陽極は製作時の鋳造作業の利便性を追求したのみで、実用面での溶解状況（形状）はほとんど考慮されず、欧米の陽極形状を模倣して製造が容易な台形断面の柱状型を採用した。このため、先述の種々の問題が提起される原因となっている。
【００２７】
これらの問題を解決するために、流電陽極の溶解特性を徹底的に追求した結果、全周を均一に溶解させるためには球状型が最も適していることを確認した。しかし、球状型にすると、軍用の機雷のように浮力を持たせて、海底から係留する以外に、海中に設置する方法がない。実用に適した設置形態を模索した結果、球状型を中心部から半分に裁断した半球型を採用し、底面を取り付け基盤として絶縁して用いることにより、底面は消耗させず、表面を全周囲均一に溶解させることが可能な形状を見出した。
【００２８】
陽極材を縦・横・高さの比率（半径）が均等な半球型とすることにより、陽極材は底面を除き中心部から外表面までの距離が同一になり、通電に伴う消耗が全周囲にわたり均一になる。半球型構造を採用することにより、容積が最大（有効電気量が多い）で面積が最小（発生電流の調整が容易）の陽極製作が可能になり、被防食体の機能に合致した理想的な陽極設計が可能になる。
【００２９】
被防食体に対する取り付け基盤として陽極材１１の底面には鋼板１２を取り付けた。鋼板１２は従来の芯金の機能を代行するが、鋳造後にボルト、ネジ、タッピング、コーチスクリュウ等の固定手段１３を用いて固定する方式を採用した。陽極材の内部に芯金を鋳込むことを廃止して、陽極材の底面に支持鋼板を取り付けることにより、陽極材の鋳造に必要な金型の構造を簡素化すると共に、鋳造作業が容易になる。また、芯金と陽極材の熱収縮率の相違により鋳造時に生じる変形（反り等）の発生を防止できる。
【００３０】
陽極材１１と鋼板１２の間には、耐水性の接着剤、シーリング材、樹脂などを塗布することができる。陽極材１１と鋼板１２の間に耐水性材料を充填し、隙間からの海水の侵入を阻止して、通電に伴う底面の溶解・消耗を確実に防止することができる。図４に、被防食体２０に流電陽極１０を設置して、設置時の（ａ）から中間時の（ｂ）を経て、最終時の（ｃ）に至る形状変化を例示する。半球状の陽極材１１は、半球状を維持しながら溶解することが分かる。陽極材の消耗状況は、陽極材の直径を計測するだけで確認することができる。
【００３１】
鋼板１２の表面には、被防食体の凹凸や曲率を吸収して流電陽極との間に空隙を生じさせないように、絶縁性のクッション材１４を貼り合わせた。クッション材１４は、例えば発泡ポリエチレン等の発泡樹脂からなり、耐水性の接着剤を用いて鋼板１２に貼り付けることができる。図５（ａ）には凹凸のある被防食体２１に流電陽極１０を設置した状況を示し、図５（ｂ）には曲率のある被防食体２２に流電陽極１０を設置した状況を示す。図５（ｂ）は凸面に流電陽極１０を設置した例であるが、凹面であってもよいのは言うまでもない。
【００３２】
半球型の流電陽極を被防食体に密着させて取り付けることにより、潮流によって陽極の側面部に加わる応力と漂流物の衝突による衝撃を分散させ、低減させることができる。図６には、流電陽極１０の周囲で潮流３１が分流する状況を示す。どの方向からの潮流３１であっても、分流３２が多方面に分かれて分散することが分かる。図７には、流電陽極１０に衝突する漂流物４１が飛跳する状況を示す。漂流物４１が流電陽極１０に衝突しても、飛跳した漂流物４２は速やかに流電陽極１０から離れていく。戦車の砲塔の形状と同様の原理（被弾経被）により外力を分散し、影響を低減させることができる。
【００３３】
半球型の流電陽極を被防食体に取り付ける手段は、磁気吸着工法が好ましい。磁気吸着工法を採用することにより、被防食体に流電陽極を取り付ける作業に要する工期を大幅に短縮すると共に、作業の安全性を大幅に向上させることができる。水中溶接のように電力を水中に持ち込む必要がないので、安全性が大幅に向上する。潜水士の溶接技能の格差による取り付け品質のバラツキを防止できる。水中溶接で問題となっていた、溶接時の急冷に伴う鋼構造物の強度低下を誘発する危険性が皆無になる。
【００３４】
半球型の流電陽極に磁気吸着工法を適用する場合、図８に示すように、磁気吸着装置１５は半球状の陽極材１１の底面側に取り付けることが好ましい。磁気吸着装置１５は、例えばリング状の永久磁石を鋼製のヨークに装着した構成である。鋼板にヨークが収容される開口部を設けてもよいし、鋼板にヨークを一体化し手形成することも可能である。
磁気吸着装置が鋼板の厚さの範囲内で収容できない場合は、陽極材の底面側に磁気吸着装置を収容する凹部を形成することもできる。この凹部は、陽極材の鋳造時に金型により形成してもよく、鋳造後の加工により形成してもよい。
【００３５】
磁気吸着装置に用いる磁石は、永久磁石が好ましく、中でも、Ｎｄ−Ｆｅ−Ｂ系永久磁石（ネオジム磁石）、Ｓｍ−Ｃｏ系永久磁石（サマリウムコバルト磁石）などの希土類永久磁石が好ましい。図８では、半球の底面の中心の１箇所のみに磁気吸着装置を設けた例を示すが、流電陽極の２箇所以上に磁気吸着装置を設けてもよい。
【００３６】
流電陽極の製造方法においては、半球状の陽極材を鋳造する工程の後、鋼板（支持板）、クッション材、磁気吸着装置を適宜の順序で取り付ける工程を行うことが好ましい。
【００３７】
以上、本発明を好適な実施形態に基づいて説明してきたが、本発明は上述の実施形態に限定されるものではなく、本発明の要旨を逸脱しない範囲で種々の改変が可能である。
陽極材の形状は、厳密に半球状である場合に限らず、略半球状であればよい。例えば、側面の高さと底面の半径が若干異なってもよく、底面部が平面でなくてもよい。
陽極材の底面部に設ける支持板は、鋼板が好ましいが、他の材料、例えば金属板、セラミック板などであってもよい。
流電陽極の底部を被防食体に密着させるための構造は、絶縁性のクッション材に限らず、水中セメントやポリマー等の充填剤により空隙を埋めることも可能である。
【実施例】
【００３８】
（実施例１）
口径７５０ｍｍと１０００ｍｍの鋼管杭を用いて構築された揚油桟橋の電気防食のため、６５ｋｇの半球状Ａｌ陽極を設計した。設計上の初期の発生電流は２．０Ａ、寿命は２０年である。永久磁石を用いた磁気吸着工法によりＡｌ陽極を鋼管杭に固定した。Ａｌ陽極の底面に取り付けた鋼板の上下部に磁気吸着装置を設ける２点支持方式を採用して安全性を倍増した。対象施設に溶接や穴あけ加工などの物理的な加工を施すことなく、陽極を安全で確実に取り付けることができた。陽極を設置した桟橋は、設置直後から良好な防食電位を維持している。
【００３９】
（実施例２）
荷揚げ用の鋼矢板岸壁の電気防食のため、３０ｋｇの半球状Ａｌ陽極を設計した。設計上の初期の発生電流は１．０Ａ、寿命は１０年である。永久磁石を用いた磁気吸着工法によりＡｌ陽極を鋼矢板に固定した。Ａｌ陽極の底面に取り付けた鋼板に磁気吸着装置を設けることで、対象施設に溶接や穴あけ加工などの物理的な加工を施すことなく、陽極を安全で確実に取り付けることができた。従来の水中溶接工法と比較して、１／３以下の工期で作業を終了することができた。
【００４０】
（実施例３）
口径６００ｍｍの鋼管杭を用いて構築された製品出荷桟橋の電気防食のため、３０ｋｇの半球状Ａｌ陽極を設計した。設計上の初期の発生電流は１．０Ａ、寿命は１０年である。永久磁石を用いた磁気吸着工法によりＡｌ陽極を鋼管杭に固定した。Ａｌ陽極の底面に取り付けた鋼板の中央部に磁気吸着装置を設ける１点支持方式を採用したので、磁気吸着装置の数量を半減して低コスト化できた上に、水中での作業時間も大幅に低減（１／３以下に）することができた。
【符号の説明】
【００４１】
１０  流電陽極、１１  陽極材、１２  鋼板、１３  固定手段、１４  クッション材、１５  磁気吸着装置、２０  被防食体、２１  凹凸のある被防食体、２２  曲率のある被防食体、３１  潮流、３２  分流、４１  漂流物、４２  飛跳した漂流物、１００  従来の流電陽極、１０１  陽極材、１０２  芯金、１０３  取付部
【図１】
2015157981.tif 000003
【図２】
2015157981.tif 000004
【図３】
2015157981.tif 000005
【図４】
2015157981.tif 000006
【図５】
2015157981.tif 000007
【図６】
2015157981.tif 000008
【図７】
2015157981.tif 000009
【図８】
2015157981.tif 000010